(57)【要約】【課題】  外気吸入用弁からの液体の漏洩や、外気吸入に伴う微生物等による液体収容部内の汚染を防止できると共に、注液時以外において、容器の内外圧差が生じるのを防止可能な液体収容容器を提供する。【解決手段】  薬液を収容する液体収容部１２を有する容器本体１０と、開封状態で薬液の流出を許容する注液口６１ａとを設けてある液体収容容器（点眼容器）Ａにおいて、容器本体１０の底面に、フィルタ部材１０１と、外部からの空気の流入を許容すると共に外部への液体の流出を阻止する逆止弁１０３を備えた通気手段１００を設けてある。さらに、通気手段１００を覆う底面キャップ１１０を設けてある。【選択図】        図１
2005205202.tif 000002
【特許請求の範囲】
【請求項１】
液体を収容する液体収容部を有する容器本体と、開封状態で液体の流出を許容する注液部とを設けてある液体収容容器において、
前記容器本体の底面に、フィルタ部材と、外部からの空気の流入を許容すると共に外部への液体の流出を阻止する逆止弁とを備えた通気手段を設けてある液体収容容器。
【請求項２】
前記通気手段が、床面と接すると共に容器本体を支える受部を有する請求項１に記載の液体収容容器。
【請求項３】
前記通気手段を覆う底面キャップを設けてある請求項１又は２に記載の液体収容容器。
【請求項４】
前記底面キャップが前記容器本体と一体に形成してあり、前記底面キャップは前記容器本体に対して切り取り自在に構成してある請求項３に記載の液体収容容器。
【請求項５】
前記逆止弁が、端部において相互に接触自在な一対の板状部位を有すると共に、前記一対の板状部材の端部同士の接触により閉塞し、或いは、前記一対の板状部材の端部同士が離間することにより開口するように構成してあるダックビル型である請求項１〜４の何れか一項に記載の液体収容容器。
【請求項６】
前記容器本体に装着可能であると共に、未開封状態の前記注液部を開封可能な開封手段と、外部への液体の流出を許容すると共に外部からの空気の流入を阻止する弁手段を備えたキャップを設けてある請求項１〜５の何れか一項に記載の液体収容容器。
【発明の詳細な説明】
【技術分野】
【０００１】
本発明は、液体を収容する液体収容部を有する容器本体と、開封状態で液体の流出を許容する注液部とを設けてある液体収容容器に関する。
【背景技術】
【０００２】
上述した液体収容容器は、例えば、医療用点眼液を点眼自在に収容する医療用点眼具（以下、単に「点眼具」と称する）がある。このような点眼具としては、例えば、中空円筒状に形成されると共に薬液を収容する液体収容部を有する容器本体に注液筒部を装着し、注液筒部を封止するキャップも含めると点眼具全体として３部材から形成される、所謂３ピース型点眼具が知られている。
また、図４に示したように、ブロー成形や真空成形等により注液筒部６と容器本体１０とを一体に形成してある一体成形型点眼容器ＡにキャップＢを螺合或いは嵌合等により装着させる、所謂ボトルパック点眼具Ｘ等が汎用されている。
さらに、注液筒部の先端に注液口を設けた中栓部を装着するものも知られていた（例えば、特許文献１参照）。
このような点眼具Ｘの素材としては、成形の容易さ等から軟質の熱可塑性樹脂が用いられている。
【０００３】
この種の点眼具Ｘでは、例えば図４に示した点眼容器Ａ内の薬液を投与する場合、点眼容器Ａ（容器本体１０）の胴部２を二本の指先で把持して、点眼容器Ａの注液口６１ａが投与対象の眼に対面する投与姿勢に保持し、この姿勢を維持しつつ胴部２を容器軸線側に押圧操作することにより、注液口６１ａから薬液を滴下投与する。
【０００４】
上述した点眼具においては、点眼具開封後に注液口から薬液を滴下投与すると、容器本体自身の復元性等により形状が液体を外部流出する前の状態に戻ろうとするため、投与した薬液の分だけ外部空気が点眼容器内部に流入する。このように外部空気を流入可能にした構成として、外気吸入用の均圧弁を設けた構成が知られていた（例えば、特許文献２）。これにより、薬液の滴下投与後に外部空気を取り込むことができるため、容器内の圧力を外部と平衡させることが可能となっていた。
【０００５】
これは、外気吸入用弁の取付け位置が注液口近傍に設けられた構成であるが、これに対して、外気吸入用弁の取付け位置が注液口の反対側に設けられた注液容器の構成（例えば、特許文献３）が知られていた。
【０００６】
【特許文献１】実公昭３９−１１９９１号公報（第１〜２図）
【特許文献２】特開昭５１−１４６７８９号公報（第７〜８頁、図４参照）
【特許文献３】実開平１−１１０１４７号公報（実用新案登録請求の範囲、第２図参照）
【発明の開示】
【発明が解決しようとする課題】
【０００７】
特許文献２に記載の点眼具は、外気吸入用弁と共にフィルタ部材が設けてあり、外気吸入に伴う微生物等による液体収容部内の汚染を防止することが可能となっていた。また、外気吸入用弁とフィルタ部材の取付け位置を注液口近傍とすると、例えば、注液筒部に注液口、外気吸入用弁、及び、フィルタ部材を設ける必要があるため、注液口近傍の構成が複雑になると共に、外気吸入用弁及びフィルタ部材は、大きさ等が制約される。一方、特許文献３に記載の注液容器のように、外気吸入用弁の取付け位置を注液口の反対側に設けた構成とすると、注液口近傍の構成が簡略化され、容器の製造が容易になる。
【０００８】
さらに、特許文献２に記載の点眼具は、注液に際して注液口は下向きになり、この状態が維持されれば液体収容部にある液体と外気吸入用弁とが常に接触することになる。ここで、外気吸入用弁は、外気流入を許容するが液体の外部流出を許容しない逆止弁の構成を有するものの、注液時には、外気吸入用弁は液体と接触しない構成にする方が液体の漏洩防止の観点から好ましい。
一方、特許文献３に記載の注液容器の構成では、注液口の反対側に外気吸入用弁が設けてあり、注液後の外気吸入時には、液体収容部にある液体と外気吸入用弁とは接しないため、外気吸入用弁から液体が漏洩する虞はない。しかし、フィルタ部材が設けられていないことから、外気吸入に伴う微生物等による液体収容部内の汚染の虞があった。
【０００９】
また、これら点眼具や注液容器の構成によると、保管時等の注液以外のときには注液口は閉状態にある。このとき、外気吸入用弁に衝撃等により圧力が加わる等して外気吸入用弁から液体収容部に外気が流入すると、液体収容部の圧力は上昇した状態となる。この状態で注液時に注液口を開くと上昇した圧力が注液口から開放されるため、液体収容部にある液体が勢いよく飛び出す虞がある。
このとき、例えば、注液時の１滴量を一定に制御してあるような点眼具であれば、このように注液時に液体が勢いよく飛び出すと、周縁に散逸した液体の分量を補うために再度注液操作を行って眼に滴下する必要がある。そのため、過剰の注液操作と液体の無駄が生じるという問題点があった。
【００１０】
従って、本発明の目的は、外気吸入用弁からの液体の漏洩や、外気吸入に伴う微生物等による液体収容部内の汚染を防止できると共に、注液時以外において、容器の内外圧差が生じるのを防止可能な液体収容容器を提供することにある。
【課題を解決するための手段】
【００１１】
上記目的を達成するための本発明に係る液体収容容器の第１特徴構成は、液体を収容する液体収容部を有する容器本体と、開封状態で液体の流出を許容する注液部とを設けてある液体収容容器において、前記容器本体の底面に、フィルタ部材と、外部からの空気の流入を許容すると共に外部への液体の流出を阻止する逆止弁とを備えた通気手段を設けてある点にあり、その作用効果は以下の通りである。
【００１２】
例えば、容器本体の胴部を押圧する等して容器本体の容積を減少させることにより液体を外部流出させる容器の場合、所望量の液体を外部流出させた後、容器本体の押圧を停止すると、容器本体自身の復元性等により形状が液体を外部流出する前の状態に戻ろうとする。この時、容器本体内部は陰圧となって流出した液体の分だけ外部空気が通気手段から液体収容部内部に流入するように構成することができる。
【００１３】
ここで、フィルタ部材と逆止弁とを備えた通気手段は容器本体の底面に設けてあるため、注液部の反対側に設けることになる。そのため、注液に際して注液口は下向きになり、この状態を維持して注液後の外気吸入が行われれば液体収容部にある液体と通気手段とは接しないため、通気手段から液体が漏洩する虞はない。
また、通気手段は、フィルタ部材を備えている。フィルタ部材は、外部空気に含まれる微生物等の汚染源の侵入を許容しないように構成してあり、通気手段から吸い込まれる外部空気がフィルタ部材を経由することで、液体収容部内の汚染を防止することが可能となる。
さらに、通気手段は、外部からの空気の流入を許容すると共に外部への液体の流出を阻止する逆止弁を備えている。そのため、この逆止弁において外部空気の流入を行って容器内と外部との圧力を平衡させることが可能となる。この逆止弁は液体の流出を阻止するため、保管時等において、通気手段からの液体の漏洩を防止することができる。
【００１４】
また、上記特許文献２に記載の点眼具のように、注液口近傍に通気手段を設ける構成とすると、注液口との位置関係などを考慮する必要があるため、通気手段は大きさ等において設計上の制約を受ける。しかし、本発明のように、容器本体の底面にフィルタ部材と逆止弁とを備えた通気手段を設ける構成とすることにより、容器本体の底面の大きさの範囲内であれば、フィルタ部材と逆止弁との大きさ等に設計上の制約を受け難くなる。つまり、通気手段の設計の自由度が増すため、液体収容容器の製造が容易になる。
【００１５】
上述したように、液体収容容器は容器本体の底面に通気手段を設けてあるため、通気手段の重量分だけ液体収容容器の重心は容器本体の底面側に移動する。そのため、通気手段を注液口近傍に設けるときと比べて、容器本体の底面を床面に接触させて液体収容容器を床面に載置したときの安定性が向上する。従って、振動等によって液体収容容器が倒れ難くなるため、保管に適した構成となる。
【００１６】
本発明に係る液体収容容器の第２特徴構成は、前記通気手段が、床面と接すると共に容器本体を支える受部を有する点にあり、その作用効果は以下の通りである。
【００１７】
つまり、通気手段が、床面と接すると共に容器本体を支える受部を有すると、受部と床面とを接触させて液体収容容器を床面に載置するときには、床面と液体収容容器との接触状態を一定とすることが可能となる。そのため、バランスよく液体収容容器を床面に載置することができる。
【００１８】
本発明に係る液体収容容器の第３特徴構成は、前記通気手段を覆う底面キャップを設けてある点にあり、その作用効果は以下の通りである。
【００１９】
このように、通気手段を覆う底面キャップを設けてあると、外部からの圧力変動が直接通気手段に及ぶのを防止できる構成となる。そのため、通気手段に対して何らかの圧力が加った場合でも通気手段から液体収容部に外気が流入する虞が殆ど無くなり、このような圧力変動を原因とした液体収容部の圧力上昇を有効に防止することができる。
【００２０】
従って、底面キャップ装着時には容器の内外圧差が生じるのを防止できるため、注液以外のときに上昇した圧力が注液時に注液部から開放され、液体収容部にある液体が勢いよく飛び出すのを防止できる構成となる。従って、注液時に、再度注液操作を行うことや、液体の無駄が生じることはない。さらに、底面キャップ装着時には、通気手段を良好に保護することができる。
【００２１】
本発明に係る液体収容容器の第４特徴構成は、前記底面キャップが前記容器本体と一体に形成してあり、前記底面キャップは前記容器本体に対して切り取り自在に構成してある点にあり、その作用効果は以下の通りである。
【００２２】
このように構成すると、例えば、ブロー成形や真空成形等で液体収容容器を形成するに際して、底面キャップを容器本体と同じパリソンで形成することができる。
そのため、底面キャップを設けた液体収容容器を容易に製造することができる。
【００２３】
また、底面キャップは容器本体に対して切り取り自在に構成してあるため、底面キャップを切り取り除去すると通気手段が露出する構成となる。このとき、底面キャップは、例えばミシン目等の切取線に沿って簡便に切り取り除去できると共に、底面キャップがいびつな形状で除去されるのを防止できるため、使用に際して利便性の向上を図ることができる。
【００２４】
一方、使用者が意図的に底面キャップを切り取りしない除去しない限り通気手段は露出し難い構成となるため、輸送中等に不意に底面キャップが外れる虞は殆どなくなる。従って、液体収容容器の使用前において、通気手段を良好に保護することができる。
【００２５】
本発明に係る液体収容容器の第５特徴構成は、前記逆止弁が、端部において相互に接触自在な一対の板状部位を有すると共に、前記一対の板状部材の端部同士の接触により閉塞し、或いは、前記一対の板状部材の端部同士が離間することにより開口するように構成してあるダックビル型である点にあり、その作用効果は以下の通りである。
【００２６】
ここで、容器本体を押圧操作して液体収容容器から液体を流出させる形態の容器を例にして説明する。
【００２７】
このとき、逆止弁を上述したダックビル型とすると、この逆止弁は、端部において相互に接触自在な一対の板状部位を有するため、各板状部位はそれぞれテーパ面を有する。
このため、液体の流出操作をしない通常時には、各板状部位の端部同士の接触によって閉塞された状態となっている（閉状態）。
【００２８】
そして、容器本体を押圧操作している間は、容器本体内部が陽圧となり、外部空気は液体収容部内部に流入しないため、流入する外部空気の圧力が各テーパ面の内側（図１：１０４ａ、ｂ）に作用せず、各テーパ面の端部同士の接触は解除されない（閉状態：図１）。そのため、容器本体を押圧操作して液体を流出している間は、通気手段から薬液が流出すること及び外部空気が流入することはない。
【００２９】
一方、押圧操作を停止すると、容器本体自身の復元性等により形状が液体を外部流出する前の状態に戻ろうとする。この時、容器本体内部は陰圧となる。このとき、流入する外部空気の圧力が各テーパ面の内側に作用して端部同士の接触が解除され（図２）、通気手段は開状態となる。このようにして流出した液体の分だけ外部空気が液体収容部内部に流入する。
【００３０】
従って、本発明の第５特徴構成に記載の液体収容容器であれば、逆止弁がダックビル型となっているため、液体流出時に容器本体を押圧操作するとき（容器本体内部は陽圧となる）には、逆止弁を閉状態とすることができる。
また、液体流出後、容器本体の押圧操作を停止して容器本体の形状が、液体が流出する前の状態に戻ろうとするとき（容器本体内部は陰圧となる）には、流入する外部空気の圧力を好適に利用して逆止弁を開状態とすることができる。
そのため、液体流出の有無に応じて、タイミングよく外部空気の流入を許容すると共に外部への液体の流出を許容しない逆止弁とすることができる。
【００３１】
本発明に係る液体収容容器の第６特徴構成は、前記容器本体に装着可能であると共に、未開封状態の前記注液部を開封可能な開封手段と、外部への液体の流出を許容すると共に外部からの空気の流入を阻止する弁手段を備えたキャップを設けてある点にある。
【００３２】
このキャップを、液体を収容した未開封の容器本体に装着すれば、開封手段により密封状態を解除可能となる。一方、開封手段による注液部の開封時まで確実に容器本体の密封状態を維持することができる。
また、このキャップは、外部への液体の流出を許容すると共に外部からの空気の流入を阻止する弁手段を備えているため、所望量の液体を外部流出させた後には、外部空気が容器本体内に流入する経路を遮断できる構成となる。従って、容器開封後に外部の空気に含まれる微生物等の点眼容器内への取り込みを防ぐことができ、容器開封後における容器内汚染の防止が可能となる。
【発明を実施するための最良の形態】
【００３３】
以下、本発明の実施例を図面に基づいて説明する。
図１に、液体収容容器として、主に医療用に用いられる点眼具Ｘの概略図を示す。この点眼具Ｘは、液体として主に医療用点眼液等の薬液を収容可能な容器本体１０を有する点眼容器Ａと、点眼容器Ａに着脱自在なキャップＢとから構成してある。
【００３４】
点眼容器Ａは、中空円筒状に形成され、薬液を収容する液体収容部１２を有する容器本体１０に注液筒部６を形成し、注液筒部６の先端に注液部（注液口）６１ａを設けたものを例示する。この点眼容器Ａは、例えば、ブロー成形や真空成形等により容器本体１０と注液筒部６とを一体に形成することができる。
【００３５】
この点眼容器Ａは、円形状の底部１と、これの周縁に連なる中空円筒状の胴部２と、胴部２の肩部分２ａに連続する円筒状の首部３と、首部３の上側に連続する注液筒部６とを備えることにより構成してある。注液筒部６の外周には、雄ネジ６ａを備えてある。
【００３６】
尚、注液筒部６の先端に中栓部を設ける構成とすることが可能である（図示しない）。ブロー成形や真空成形等を適用して注液筒部６に直接注液口６１ａを形成する場合に比べて製造コストが低くなる等の理由により汎用されている。この場合、中栓部は、外部空気の流入を防止するため、注液筒部６と密着するように装着される。
【００３７】
点眼容器Ａの構成材料としては、ポリエチレン、ポリエチレンーポリプロピレン、ポリプロピレン、ポリエチレンテレフタレート、ポリカーボネート等の熱可塑性材料等があり、成形された点眼容器Ａ全体が弾性変形可能に構成してある。
【００３８】
キャップＢは、点眼容器Ａの雄ネジ６ａに着脱自在に螺合するように構成してあれば、何れの構成でも適用可能である（詳細は後述）。このとき、点眼具Ｘ開封前の密封状態の確実な維持、点眼具Ｘ開封後において液体収容部１２に収容してある薬液の漏洩の防止、或いは、外部の空気に含まれる微生物等の点眼容器Ａ内への取り込みを防ぐことにより液体収容部１２内部の汚染を効果的に防止できる等の効果を奏する形態であれば好ましい。
【００３９】
本発明では、点眼容器Ａは、容器本体１０の底面に通気手段１００を備えており、通気手段１００は、フィルタ部材１０１と、外部からの空気の流入を許容すると共に外部への薬液の流出を阻止する逆止弁１０３を設けている。通気手段１００は、容器本体１００の底面に開口させた開口部１０２に装着する。
【００４０】
このように通気手段１００を設けているため、この逆止弁１０３において外部空気の流入を行うことができ、容器内の圧力を外部と平衡させることが可能となる。
つまり、点眼動作の際には、点眼容器Ａ（容器本体１０）の胴部２を二本の指先で把持して胴部２を容器軸線側に押圧操作して容器本体１０の容積を減少させることにより薬液を外部流出させる。所望量の液体を外部流出させた後、容器本体１０の押圧を停止すると、容器本体１０自身の復元性等により形状が液体を外部流出する前の状態に戻ろうとする。この時、容器本体１０内部は陰圧となって流出した液体の分だけ外部空気が通気手段１００から液体収容部１２内部に流入するように構成することができる。
【００４１】
フィルタ部材１０１は、例えば、逆止弁１０３の外側に設けることが可能であり、外部空気に含まれる微生物等の汚染源の侵入を許容しないように構成する。このように構成すると、通気手段１００から吸い込まれる外部空気は最初にフィルタ部材１０１を経由するため、点眼容器Ａの密封が解除された後であっても、容器本体１０内にある薬液の汚染を防止することができる。また、この逆止弁１０３は外部からの空気の流入を許容すると共に外部への液体の流出を阻止するように構成してあるため、この逆止弁１０３において外部空気の流入を行って容器本体１０内と外部との圧力を平衡させることが可能となる。
【００４２】
通気手段１００は、床面と接すると共に容器本体１０を支える受部１０５を有するのが好ましい。このように構成すると、点眼容器Ａを床面に載置するときには、バランスよく点眼容器Ａを床面に載置することができる。
上述したように点眼容器Ａは弾性変形可能に構成してあるが、仮に、容器本体１０の底面の変形が歪な形状のまま残る場合であっても、通気手段１００が受部１０５を有すると、点眼容器Ａを安定して床面に載置することができる。
【００４３】
さらに、通気手段１００を覆う底面キャップ１１０を設けてある。つまり、底面キャップ１１０装着時には、外部からの圧力変動が直接通気手段１００に及ぶのを防止できる構成となる。そのため、通気手段１００に対して何らかの圧力が加った場合でも通気手段１００から液体収容部１２に外気が流入する虞が無くなり、このような圧力変動を原因とした液体収容部１２の圧力上昇を有効に防止することができる。
さらに、底面キャップ１１０装着時には、通気手段１００を良好に保護することができる。
【００４４】
従って、注液以外のときに上昇した圧力が注液時に注液口６１ａから開放され、液体収容部１２にある薬液が勢いよく飛び出すのを防止できる構成となり、再度注液操作を行うことや、液体の無駄が生じることはない。
つまり、通気手段１００を覆う底面キャップ１１０を設けることにより、容器本体１０の内外圧差が生じるのを防止することができる。
【００４５】
底面キャップ１１０が、容器本体１０と一体に形成してあり、底面キャップ１１０は容器本体１０に対して切り取り自在に構成してあるのが好ましい。このとき、容器本体１０と底面キャップ１１０との境界は、例えば、ミシン目等の切取部１２０で構成してある。
【００４６】
このように構成すると、例えば、後述するようにブロー成形や真空成形等により容器本体１０を形成する際に、底面キャップ１１０を容器本体１０と同じパリソンで形成することができる。
そのため、底面キャップ１１０を設けた容器本体１０を容易に製造することができる。
【００４７】
また、底面キャップ１１０は容器本体１０に対して切り取り自在に構成してあるため、点眼具Ｘ開封後に底面キャップ１１０を切り取り除去すると通気手段１００が露出する構成となる。このとき、底面キャップ１１０は、ミシン目等の切取部１２０に沿って簡便に切り取り除去できると共に、底面キャップ１１０がいびつな形状で除去されるのを防止できるため、使用に際して利便性の向上を図ることができる。
【００４８】
一方、使用者が意図的に底面キャップ１１０を切り取り除去しない限り通気手段１００は露出し難い構成となるため、点眼具Ｘの輸送中等に不意に底面キャップ１１０が外れる虞は殆どなくなる。従って、点眼具Ｘの使用前において、通気手段１００を良好に保護することができる。
【００４９】
逆止弁１０３は、端部において相互に接触自在な一対の板状部位１０３ａ、ｂを有すると共に、一対の板状部材１０３ａ、ｂの端部同士の接触により閉塞し、或いは、一対の板状部材１０３ａ、ｂの端部同士が離間することにより開口するように構成してあるダックビル型とするのが好ましい。
【００５０】
一対の板状部位１０３ａ、ｂは、それぞれの端部において相互に接触してテーパ状に構成してある。そのため、各板状部位１０３ａ、ｂはそれぞれテーパ面１０４ａ、ｂを有する。
【００５１】
点眼操作をしない通常時には、各板状部位１０３ａ、ｂの端部同士の接触によって閉塞された状態となっている（閉状態）。
【００５２】
一方、点眼動作の際には、点眼容器Ａ（容器本体１０）の胴部２を二本の指先で把持して胴部２を容器軸線側に押圧操作する。この押圧操作により点眼容器Ａ内部は陽圧となるため、薬液が注液口６１ａから流出して滴下投与される。
薬液を滴下投与した後、押圧操作を停止すると、点眼容器Ａ自身の復元性等により薬液を滴下投与する前の形状に戻ろうとする。この時、点眼容器Ａ内部は陰圧となって投与した薬液の分だけ外部空気が液体収容部１２内部に流入する。
【００５３】
ここで、点眼容器Ａ（容器本体１０）の胴部２を押圧操作している間は、点眼容器Ａ内部が陽圧となる。このとき、外部空気は液体収容部１２内部に流入しないため、外部空気の圧力が各板状部位１０３ａ、ｂの内側のテーパ面１０４ａ、ｂ（フィルタ部材１０１側）に作用せず、各板状部位１０３ａ、ｂの端部同士の接触は解除されない（閉状態となっている：図１参照）。そのため、点眼容器Ａの胴部２を押圧操作して薬液を滴下投与している間は、通気手段１００から薬液が流出すること及び外部空気が流入することはない。
【００５４】
一方、押圧操作を停止すると、投与した薬液の分だけ外部空気が液体収容部１２内部に流入しようとする。このとき、フィルタ部材１０１を介して流入する外部空気が開口部１０２を通過すると、流入する外部空気の圧力が各テーパー面１０４ａ、ｂに作用する。このとき、各板状部位１０３ａ、ｂの端部同士の接触が解除される。そして、このとき通気手段１００は開状態となり（図２参照）、外部空気が外気吸入孔１０５から液体収容部１２内部に流入する。
【００５５】
従って、逆止弁１０３を上述したダックビル型とすることにより、薬液投与時に点眼容器Ａの胴部２を押圧操作するとき（点眼容器Ａ内部は陽圧となる）には、通気手段１００を閉状態とすることができる。
また、薬液投与後、点眼容器Ａの胴部２の押圧操作を停止して点眼容器Ａの形状が薬液を滴下投与する前の状態に戻ろうとするとき（点眼容器Ａ内部は陰圧となる）には、流入する外部空気の圧力を好適に利用して通気手段１００を開状態とすることができる。
そのため、点眼動作に合わせて、タイミングよく外部空気の流入を許容すると共に外部への薬液の流出を許容しない逆止弁１０３とすることができる。
【００５６】
以上、点眼容器Ａの構成を説明したが、以下に点眼容器Ａに装着するキャップＢについて説明する。
上述したように、キャップＢは点眼容器Ａの雄ネジ６ａに着脱自在に螺合するものが適用可能である。
例えば、キャップＢは、未開封状態の注液部６１ａを開封可能な開封手段と、外部への液体の流出を許容すると共に外部からの空気の流入を阻止する弁手段を備えた構成とすることが可能である。
具体的には、図１に示したように、薬液を収容可能な点眼容器Ａに装着可能な基体部材７と、基体部材７に取付け可能なオーバーキャップ８とを備える。オーバーキャップ８には、基体部材７に対して摺動自在となるよう基体部材７に挿入保持され、その側面に薬液を外部へ導く溝部９ａを有すると共に、点眼容器Ａの密封状態を解除すべくオーバーキャップ８によって点眼容器Ａの側へ押込可能な押込部材（開封手段）９と、押込部材９に対し外方から密接した状態で基体部材７の先端部分７７に設けた第一密接部材（弁手段）１１と、基体部材７の内周側に設けてあり、押込まれた押込部材９と密接可能な第二密接部材１３とを備えて構成してある。
【００５７】
オーバーキャップ８の好適な実施の形態の一例として、キャップ体８ａと、当該キャップ体８ａから切り取り除去される切取部８ｂで形成され、切取部８ｂを除去した後、キャップ体８ａを押込んだ際（図２参照）に、キャップ体８ａが押込部材９を点眼容器Ａの側へ押込むと共に、キャップ体８ａが基体部材７に当接可能に構成することが可能である。
また、基体部材７を、第一基体部材７ａと第二基体部材７ｂとで構成することが可能である。
【００５８】
点眼具Ａの未使用時には点眼容器Ａは密封状態を維持しており（図１）、キャップＢの押込部材９（開封手段）を押込むという操作を行わないため、容器開封前の薬液と外部空気との接触が阻止され、未使用時の点眼容器Ａの密封状態を確実に維持することができる。そして、押込部材９を押込むという操作によって、押込部材９は点眼容器Ａに嵌入され（つまり、未開封状態の注液部６１ａを開封）、確実に点眼容器Ａの密封状態を解除できる（図２）。
【００５９】
そして、密封状態の解除後に点眼容器Ａから流出した液体は、押込部材９側面に設けられている溝部９ａにより外部へと導かれる。この時、基体部材９の内周側に設けてある第二密接部材１３は押込部材９と密接しているため、薬液が溝部９ａ以外の経路により外部に流出することを防止することができる。そのため、使用時における容器本体１０からの液漏れを抑制できる。
【００６０】
さらに、基体部材７の先端部分７７に設けられ、押込部材９に対し外方から密接状態にある第一密接部材１１（弁手段）と押込部材９とは、溝部９ａにより導かれた薬液の圧力により容易に離間するため、薬液を外部に流出させることができるため、薬液を容易に供することができる。
所望量の薬液を外部流出させた後には、第一密接部材１１は、再び押込部材９に対し外方から密接状態となり、外部空気が容器本体１０内に流入する経路を遮断できる構成となる。従って、点眼容器Ａ開封後に外部の空気に含まれる微生物等の点眼容器Ａ内への取り込みを防ぐことができ、点眼容器Ａ開封後における容器内汚染の防止が可能となる。
【００６１】
キャップＢの構成材料としては、ポリエチレン、ポリエチレン−ポリプロピレン、ポリプロピレン、ポリエチレンテレフタレート、ポリカーボネート等の熱可塑性材料等とすることが可能である。
【００６２】
以下に、本発明の点眼具Ｘにおける点眼容器Ａの製造方法を記載する。
点眼容器Ａは、例えばブロー成形や真空成形により作製する。
本実施例では、ブロー成形、薬液充填、容器閉塞の一貫システムであるブローフィルシール法により底面キャップ１１０と点眼容器Ａ（容器本体１０）とを一体化形成する態様を例示する（図３参照）。
【００６３】
（ａ）胴部２と注液筒部６とを成形する一対の主成形金型４１と、底面キャップ１１０を成形すると共に、通気手段１００を容器本体１０にかしめて一体化可能な一対の副成形金型４２とを開いた状態とする。これらの上部に配置した押し出しヘッド４３から中空円筒状のパリソン４４を押し出し、両成形型４１〜４２の間に配置する。
【００６４】
（ｂ）主成形金型４１を閉じると共にノズル４５から圧縮空気を吹き込み、パリソン４４を膨張させることにより、胴部２と注液筒部６とを成形する。
【００６５】
（ｃ）ノズル４５により所定量の薬液を充填する。
【００６６】
（ｄ）設置ノズル４６により別工程で製造した通気手段１００を所定位置（点眼容器Ａの底面位置）に載置する。
【００６７】
（ｅ）設置ノズル４６を上昇させた後、副成形金型４２を閉じて通気手段１００を容器本体１０にかしめると共に、底面キャップ１１０を成形する。
【００６８】
（ｆ）主成形金型４１と副成形金型４２とを開き、点眼容器Ａを取り出す。
【００６９】
容器本体１０と底面キャップ１１０との境界は、底面キャップ１１０を切り取り除去し易くなるように、例えば肉薄に成形するのが好ましい。
【００７０】
このように、底面キャップ１１０を、容器本体１０と同じパリソン４４で形成することができるため、底面キャップ１１０を設けた容器本体１０を容易に製造することができる。
【産業上の利用可能性】
【００７１】
本発明は、液体を収容する液体収容部を有する容器本体と、開封状態で液体の流出を許容する注液部とを設けてある液体収容容器に適用でき、当該液体収容容器は、医療用点眼液を点眼自在に収容する医療用点眼具として利用可能である。
【図面の簡単な説明】
【００７２】
【図１】本発明の液体収容容器（点眼具）の概略図
【図２】開状態の通気手段の概略図
【図３】点眼容器Ａの製造方法の概略図
【図４】従来の点眼容器の概略図
【符号の説明】
【００７３】
Ａ          点眼容器
１０        容器本体
１２        液体収容部
６１ａ      注液口
１００      通気手段
１０３      逆止弁
１０１      フィルタ部材
１１０      底面キャップ
【図１】
2005205202.tif 000003
【図２】
2005205202.tif 000004
【図３】
2005205202.tif 000005
【図４】
2005205202.tif 000006